(57)【要約】【課題】マウスパッドに電話機機能を具備することにより、使用者等がコンピュータを利用した業務遂行中にでも便利容易に電話通話ができるようにするためのマウスパッドフォンを提供する。【解決手段】メインマウスパッド（２００）及び前記メインマウスパッド内の電話機能回路と接続する一方、外部の電話線と連結するための電話線連結端子（１３２）、使用者が電話通話ができるようにマイクイヤフォンと接続するためのマイクイヤフォン連結端子（１３６）、使用者が外部の音響装置から入力されたサウンドを前記マイクイヤフォンを通じて聴取できるように外部の音響装置と接続するためのサウンド出力連結端子（１３１）、電話通話を始めるかまたは終了する機能を遂行するためのＨＯＯＫボタン（１３４）で構成されたマウスパッド連結装置（１００）。【選択図】    図２
2004201270.tif 000002
【特許請求の範囲】
【請求項１】
マウスパッドフォンにおいて、
マウスパッド用材質（ＰＶＣ  シルク印刷紙）及びマウスを利用できる図形形状に構成されていて、その内部には電話機能を遂行するための回路が組み込まれており、その表面には電話通話のための複数のボタンが具備されたメインマウスパッド（２００）及び
前記メインマウスパッド（２００）内の電話機能回路と接続する一方、外部の電話線と連結するための電話線連結端子（１３２）、使用者が電話通話ができるようにマイクイヤフォンと接続するためのマイクイヤフォン連結端子（１３６）、使用者が外部の音響装置から入力されたサウンドを前記マイクイヤフォンを通じて聴取できるように、外部の音響装置と接続するためのサウンド出力連結端子（１３１）、電話通話を始めるか又は終了する機能を遂行するためのＨＯＯＫボタン（１３４）で構成されたマウスパッド連結装置（１００）
を含むマウスパッドフォン。
【請求項２】
第１項において、
前記マウスパッド連結装置（１００）は、
メモ帳をホールディングして保存するためのメモ帳をホールディング部（１３７）、
着信通話の際赤色ランプを点灯するための赤色ランプ（１３３）、
通話中緑色ランプを点灯するための緑色ランプ（１３３′）、
をさらに含めたマウスパッドフォン。
【請求項３】
第１項において、
前記マウスパッド連結装置（１００）のＨＯＯＫボタン（１３４）を含むスイッチング部（１１４）は、
電話通話が無い場合には外部の音響装置から伝送されるサウンドを前記マイクイヤフォン連結端子（１３１）を通じてマイクイヤフォンに出力するようにし、電話通話中には外部の電話線と前記マイクイヤフォンを連結して使用者が電話通話ができるようにするスイッチング機能を遂行することを特徴とするマウスパッドフォン。
【請求項４】
第１項乃至第３項のうちいずれか一つの項において、
前記マウスパッド連結装置（１００）は、
前記メインマウスパッド（２００）と物理的に結合された一体型に構成されるか又は前記メインマウスパッド（２００）と分離された別途の装置で構成できることを特徴とするマウスパッドフォン。
【発明の詳細な説明】
【発明が属する技術分野】
【０００１】
本発明はマウスパッドを利用した電話機であるマウスパッドフォン（ＭＯＵＳＥ ＰＡＤ ＰＨＯＮＥ）に関する。
【従来の技術】
【０００２】
科学技術の発達に伴い多様な種類の電話機及びヘッドフォン等が販売されており、このような電話機は現代人において必須の用品と言える。さらに、電話機に劣らずコンピュータが大衆化するに従い、その副髄的な製品の活用も増加している。
つまり、コンピュータの各種機能を容易に遂行するためのマウスと、前記のマウス使用に必ず必要なマウスパッドがその例と言える。
一方、使用者等が会社や家庭において、コンピュータを利用する時間が増加するにつれて前記コンピュータのみならず、マウスに各種の機能を追加した製品等が開発されていて、マウスに電話機の機能及び計算機の機能を追加したもの等がその例と言える。
【０００３】
しかしながら、マウスに前記のような電話機機能及び計算機機能を追加するのはマウス本来の機能を遂行する上で不便をもたらすと言う問題点があった。
つまり、マウスはコンピュータ使用の際、引き続き手に取って動かす装置にして、このようなマウスに電話ボタン及び各種のボタンを設けるのは、使用者等をしてマウスの利用を不便ならしめると言う問題点があって、ボタンを設けることによってマウスの大きさが大きくなるばかりでなく、その大きさを小さくしようとする場合には逆にボタンの大きさが小さくなり、利用が困難になると言う問題点があった。
この他にもコンピュータの付帯装置等を利用した電話機等が開発されているものの、このようなもの等はコンピュータ使用に追加される装置等にして、使用者等の業務環境を一層煩わしくすると言う問題点があった。
【発明が解決しようとする課題】
【０００４】
本発明は前記のような従来の問題点を解決するためのものにして、コンピュータを使用するにおいて、必ず具備しなければならないマウスパッドに電話機機能を具備することにより、使用者等がコンピュータを利用した業務遂行中でも容易に電話通話ができるようにするための、マウスパッドフォンを提供するところにその目的がある。
さらに、本発明は一体型に構成されたマウスパッドフォンに電話機能を遂行させるための各種ボタン及び電話線、イヤフォン等との連結端子を設けることもできるものの、電話通話のためのボタンの場合にはメインマウスパッドに設け、外部電話線及びイヤフォンとの連結端子は前記メインマウスパッドと分離されたマウスパッド連結装置に具備することにより、使用者が作業または通話中に前記連結線等による不都合が無いようにすることができるマウスパッドフォンを提供するところにその目的がある。
さらに、本発明は音響装置等との連結を通じて音楽の聴取も可能ならしめることにより、使用者がコンピュータ使用中に基本的なマウス利用に追加して電話機能及び音楽聴取機能を同時に収容できるようにするためのマウスパッドフォンを提供するところにその目的がある。
【課題を解決するための手段】
【０００５】
前記目的を達成するための本発明は、マウスパッドフォンにおいて、マウスパッド用材質（ＰＶＣ  シルク印刷紙）及びマウスを利用できる図形形状に構成されていて、その内部には電話機能を遂行するための回路が組み込まれており、その表面には電話通話のための複数のボタンが配されたメインマウスパッド（２００）及び前記メインマウスパッド内の電話機能回路と接続する一方、外部の電話線と連結するための電話線連結端子（１３２）、使用者が電話通話ができるようにマイクイヤフォンと接続するためのマイクイヤフォン連結端子（１３６）、使用者が外部の音響装置から入力されたサウンドを前記マイクイヤフォンを通じて聴取できるように外部の音響装置と接続するためのサウンド出力連結端子（１３１）、電話通話を始めるかまたは終了する機能を遂行するためのＨＯＯＫボタン（１３４）で構成されたマウスパッド連結装置（１００）を含む。
【０００６】
すなわち、本発明のマウスパッドフォンは、
マウスパッド用材質（ＰＶＣ  シルク印刷紙）及びマウスを利用できる図形形状に構成されていて、その内部には電話機能を遂行するための回路が組み込まれており、その表面には電話通話のための複数のボタンが具備されたメインマウスパッド（２００）、及び
前記メインマウスパッド（２００）内の電話機能回路と接続する一方、外部の電話線と連結するための電話線連結端子（１３２）、使用者が電話通話ができるようにマイクイヤフォンと接続するためのマイクイヤフォン連結端子（１３６）、使用者が外部の音響装置から入力されたサウンドを前記マイクイヤフォンを通じて聴取できるように、外部の音響装置と接続するためのサウンド出力連結端子（１３１）、電話通話を始めるか又は終了する機能を遂行するためのＨＯＯＫボタン（１３４）で構成されたマウスパッド連結装置（１００）、を含むことを特徴とする。
【０００７】
また、前記マウスパッド連結装置（１００）は、
メモ帳をホールディングして保存するためのメモ帳をホールディング部（１３７）、
着信通話の際赤色ランプを点灯するための赤色ランプ（１３３）、
通話中緑色ランプを点灯するための緑色ランプ（１３３′）、
をさらに含めたことを特徴とする。
【０００８】
さらに、前記マウスパッド連結装置（１００）のＨＯＯＫボタン（１３４）を含むスイッチング部（１１４）は、
電話通話が無い場合には外部の音響装置から伝送されるサウンドを前記マイクイヤフォン連結端子（１３１）を通じてマイクイヤフォンに出力するようにし、電話通話中には外部の電話線と前記マイクイヤフォンを連結して使用者が電話通話ができるようにするスイッチング機能を遂行することを特徴とする。
【０００９】
前記マウスパッド連結装置（１００）は、
前記メインマウスパッド（２００）と物理的に結合された一体型に構成されるか又は前記メインマウスパッド（２００）と分離された別途の装置で構成できることを特徴とする。
【発明の実施の形態】
【００１０】
以下、添付された図面を参照して本発明に伴う好ましい実施例を詳細に説明する。
図１は本発明に伴うマウスパッドフォンの一実施例内部の構成図である。
図面に示された通り、本発明に伴うマウスパッドフォンは、電話機の機能を遂行するための回路基板及び各種のボタン等が取り付けられたマウスパッド形状のメインマウスパッド（２００）と、前記メインマウスパッドと接続する一方、コンピュータのサウンド出力部、電話通信線、イヤフォン（マイク機能を含む）と連結され、メインマウスパッドの電話機能及びコンピュータから出力されるサウンドの聴取機能を遂行するようにするためのマウスパッド連結装置（１００）を含む。
つまり、前記マウスパッド（２００）の表面には電話機能を遂行するための数字ボタン及び各種の数字ボタンが具備されていて、その内部には電話機能を遂行する回路が装着されており、普段は使用者が前記メインマウスパッド（２００）をマウスパッドとして利用することができ、電話をかけようとする場合には前記の数字ボタン等を利用して通話を試みることができる。
【００１１】
一方、前記マウスパッド連結装置（１００）は、前記マウスパッドの表面に装着しにくい装置等を配するためのものであって、電話線と連結するための電話線連結部（１１２）、コンピュータのサウンド出力部と連結するためのサウンド出力連結部（１１１）、イヤフォン（マイク機能を含む）（以下、簡単に“マイクイヤフォン”と称す）と連結するためのマイクイヤフォン連結部（１１６）、前記メインマウスパッドと各種の情報を送受信するための第１インターフェース（１１５）、電話通話及び電話通話終了をスイッチングするためのスイッチング部（１１４）及び着信または通話中の如何を表示するための着信または通話中の表示部（１１３）を含めて構成されている。
この際、前記連結装置（１００）は図面に図示された通り、メインマウスパッド（２００）と分離された別途の装置で構成することもできるが、メインマウスパッド（２００）と直接連結された一体型に構成することもできる。
しかしながら、一体型に構成する場合には電話連結線、コンピュータサウンド連結線、イヤフォン連結線等の各種連結線等がマウスパッドと直接連結され、使用者がマウスパッドを使用する時、不便を引き起こすこともあり得ることから図２に示した通り、メインマウスパッド（２００）とマウスパッド連結装置（１００）を分離して使用するのが好ましい。
【００１２】
一方、メインマウスパッド（２００）は図面に図示された通り、マウスパッド連結装置の第１インターフェースと各種情報を送受信するための第２インターフェース（２０１）、ホールディング部（２０３）、リコール部（２０４）、フラッシュ部（２０５）、停止部（２０６）、リダイアル部（２０７）、ボリューム調節部（２０８）、貯蔵電話番号管理部（２０９）、電話番号貯蔵部（２１０）、電話番号入力部（２１１）貯蔵部（２１２）及び前記各部（２０３乃至２１２）間の移動情報を制御する一方、第２インターフェースを通じて前記マウスパッド連結装置と情報を送受信するための制御部（２０２）を含めて構成されている。
この際、前記貯蔵部（２１２）は各種応用プロクラム及び電話番号等を貯蔵するためのものであり、この他の装置（２０３乃至２１１）等に対する説明は下記の図３（ａ）に対する説明の中で一緒に説明する。
【００１３】
図２は本発明に伴うマウスパッドフォンの一実施例の外部構成図であり、図３（ａ）及び図３（ｂ）は本発明に伴うマウスパッドフォンのメインマウスパッド（２００）の一実施例の外部構成図であり、図４は本発明に伴うマウスパッドフォンのマウスパッド連結装置（１００）の一実施例の外部構成図である。
つまり、上述の通り、本発明に伴うマウスパッドフォンは、メインマウスパッド（２００）とマウスパッド連結装置（１００）をそれぞれ分離し、図２の通り構成することができる。この時、前記マウスパッド連結装置（１００）は各種の動物の形状、玩具形状等多様な形態で構成することもでさる。
【００１４】
一方、図３（ａ）には前記メインマウスパッド（２００）の外部構成を図示したが、以下では前記メインマウスパッドの表面に具備された各ボタンの機能を図１及び図３（ａ）を参照しながら説明する。
つまり、本発明に伴う前記メインマウスパッド（２００）にはＨＯＬＤボタン（２５３）、ＲＥＣＡＬＬボタン（２５４）、ＦＬＡＳＨボタン（２５５）、ＰＡＵＳＥボタン（２５６）、ＲＥＤＩＡＬボタン（２５７）、ボリューム調節部（２５８）、複数の貯蔵電話番号管理ボタン（Ｍｌ〜Ｍ４）（２５９）、電話番号貯蔵ボタン（ＳＡＶＥ）（２６０）及び複数の電話番号入力ボタン（数字ボタン０〜９）（２６１）が具備されている。
先ず、ＨＯＬＤボタン（２５３）は本発明に伴うマウスパッドフォンを利用して通話をしながらマウスパッドの上でマウスを利用する場合に、マウスの利用に伴って前記各ボタン等ＤＬが入力され電話通話に影響を及ぼすのを防止するためのものである。
つまり、通話中に前記ＨＯＬＤボタン（２５３）を１秒以上押すとさらに他のボタンの入力が制限されることにより、通話時の誤動作を防ぐことができる。この時、前記ＨＯＬＤボタン（２５３）は図１に示されたホールディング部（２０３）により管理される装置にして、ホールディング部（２０３）は前記ボタンの入力がある場合には制御部（２０２）へ該当信号を伝送することにより、制御部（２０２）がさらに他のボタンの入力を遮断するようにする。
【００１５】
一方、前記ＨＯＬＤボタン（２５３）が押さえられた状態でさらにＨＯＬＤボタンを押すか、または通話終了後ＨＯＯＫボタンを押すことにより、制御部（２０２）はホールディング機能を初期化して他のボタン等の入力が可能となる。
次に、ＲＥＣＡＬＬボタン（２５４）は、再発信機能にして、マウスパッド連結装置（１００）に具備されたＨＯＯＫボタン（１３４）を押さなくとも直ちに電話がかけられるようにする。この時、ＲＥＣＡＬＬボタン（２５４）は図１に図示されたリコール部（２０４）によって管理される。
次に、ＦＬＡＳＨボタン（２５５）は特殊サービス機能（通話中待機、３者通話）や、キーフォン、内線を使用する際他の電話に回してくれる時使用するボタンであって、図１のフラッシュ（２０５）により管理される。
次に、ＰＡＵＳＥボタン（２５６）は貯蔵電話番号管理ボタン（ワンタッチボタン）（２５９）に電話番号をメモリする場合、入力された番号間の時間間隔が必要な時使用され、図１の停止部（２０６）により管理される。例えば“ＳＡＶＥ”、“Ｍｌ〜Ｍ４”、“９”、“ＰＡＵＳＥ”、“電話番号”、“ＳＡＶＥ”の順に貯蔵するとワンタッチダイアリング時事キーフォン、内線から局線に直ちに連結される。
【００１６】
次に、ＲＥＤＩＡＬボタン（２５７）は、最近電話をかけた電話番号にして、再通話の際使用される。この時、再度押すかまたはＨＯＯＫ ｏｎ時には初期化され、キーの入力が制限され、図１のリダイアル部（２０７）により管理される。
次に、ボリューム調節ボタン（２５８）は＋，−ボタンを通じて、受講音量を大きく或いは小さく調節することができ、図１のボリューム調節部（２０８）により管理される。
次に、貯蔵電話番号管理ボタン（Ｍ１〜Ｍ４ボタン）（２５９）は、頻繁に使われる電話番号をワンタッチダイアリングする時使用され、ＳＡＶＥボタン（２６０）を利用してＭｌ〜Ｍ２にワンタッチダイアリングを望む電話番号を貯蔵しておいて、前記Ｍｌ〜Ｍ２の内いずれか一つのボタンを押すと、該当ボタンに貯蔵されている電話番号に自動的に連結されるようにする機能を有する。前記貯蔵電話番号管理部（２０９）により管理される。
次に、ＳＡＶＥボタン（２６０）は電話番号をメモリする時使用する貯蔵ボタンであって、“ＳＡＶＥ”“Ｍ１〜Ｍ４”、“電話番号”、“ＳＡＶＥ”の順で電話番号を貯蔵することができ、図１の電話番号貯蔵部（２１０）により管理される。
【００１７】
次に、電話番号入力ボタン（２６１）は、０から１までの数字で構成されており、使用者が電話番号を入力するためのボタンであって、図１の電話番号入力部（２１１）により管理される。
この時、前記各種ボタン等は使用者がメインマウスパッド（２００）でマウスが使用できるようにするための空間を除いた位置に具備されるものにしてメインマウスパッド（２００）の大きさによって、ボタンの大きさもまた、調節できるものの、一般的に、ミニ電話機のボタンより大きく作ることができる。さらに、前記各種のボタン等はメインマウスパッド上に突出した形状でなく、パッドの表面と一致するように構成することにより、使用者がマウスを利用するにおいて不便を感じないように構成することができる。
【００１８】
一方、図３（ｂ）はメインマウスパッド（２００）の層構造を示したものにして、図面に図示したとおり、本発明に伴うメインマウスパッド（２００）は、表面が特殊エンボシン処理され、マウスパッドで使用できるようにするためのＰＶＣシルク材質の上板（２７１）、電話ボタン用第１タッチ回路板（２７２）、電話ボタン用回路板（２７３）、電話ボタン用第２タッチ回蹄板（２７４）、電話ボタン用回路板保護パッド（２７５）及びＰＶＣ  シルク印刷紙、下板（２７６）等と同様な複数の層で構成されている。
一方、図４は本発明に伴うマイクイヤフォンのマウスパッド連結装置（１００）の一実施例の外部構成を図示したが、以下では前記マウスパッド連結装置（１００）の外部構成要素等を図１及び図４を参照しながら説明する。
【００１９】
つまり、本発明に伴う前記マウスパッド連結装置（１００）は、サウンド出力連結端子（１３１）、電話線連結端子（１３２）、着信（赤色）又は通話中（緑色）の如何を表示するためのランプ（１３３，１３３′）、通話を始めるか又は通話を終了する時に押すＨＯＯＫボタン（１３４）、メインマウスパッド（２００）との接続のための第１連結端子（１３５）、マイクイヤフォンとの接続のためのマイクイヤフォン連結端子（１３６）及びメモ帳等を簡便に使用できるようにメモ帳をホールディングするためのメモ帳ホルダ（１３７）が含まれている。
先ず、サウンド出力連結端子（１３１）は、前記の通り、コンピュータ又はその他の音響装置のサウンド出力部と連結され、音声の入力を受けるための端子にして図１に示したサウンド出力連結部（１１１）に含まれている。
【００２０】
次に、電話線連結端子（１３２）は、外部の電話線とメインマウスパッド（２００）を連結させるための端子にして、図１の電話線連結部（１１２）に含まれている。
次に、赤色ランプ（１３３）は、外部から通話要請がある場合、つまり、着信時に赤色ランプを点灯することにより、使用者に通話要請のあることを知らせるための機能を遂行し、緑色ランプ（１３３′）は、着信時又は使用者が通話を要請し、通話連結がなされた場合に緑色ランプを点灯することにより、通話中であることを表示するための機能を遂行する。このような前記ランプ（１３３，１３３′）は図１の着信又は通話中表示部（１１３）に該当する。
【００２１】
次に、ＨＯＯＫボタン（１３４）は、使用者が通話を望む場合、又は通話を終了する場合に押すボタンである。つまり、使用者がイヤフォンを通じてコンピュータから伝送される音楽を聞いているとか、又は単なるマウスを利用して作業をする途中に通話を望む場合には、前記ＨＯＯＫボタン（１３４）を押すようになり、この時、メインマウスパッド（２００）の入力ボタンによって通話が連結されるようになる。
さらに、赤色ランプ（１３３）が点灯し、着信通話があることを確認した場合にも前記ＨＯＯＫボタン（１３４）を押すことにより通話が始まる。この時、通話が開始されると、前記緑色ランプ（１３３′）が点灯して通話中であることが確認できる。さらに、前記過程により通話をした後、終了したい場合にも前記ＨＯＯＫボタン（１３４）を押すようになり、この時、イヤフォンを通じては再び音楽を聴取することができる。このような前記ＨＯＯＫボタン（１３４）は図１のスイッチング部（１１４）に該当する機能を遂行する。
【００２２】
次に、第１連結端子（１３５）はメインマウスパッド（２００）の第２インターフェース（２０１）と連結され、メインマウスパッド（２００）と各種の情報を送受信するための装置であって、図１の第１インターフェース（１１５）に該当する。
次に、マイクイヤフォン連結端子（１３６）は、コンピュータより伝送されたサウンドを聞くためのマイクイヤフォンが連結される端子である。この際、前記連結端子（１３６）は使用者が電話通話をする場合、使用者の音声の入力を受けるための機能も遂行する。つまり、前記マイクイヤフォン連結端子（１３６）はマイク及びイヤフォンの機能を遂行する端子であって、一つの端子で構成されることもあって、マイクとイヤフォンを個別的に入力を受けるための二つの端子で構成されることもある。この時、前記連結端子（１３６）は図１のマイクイヤフォン連結部（１１６）に該当する。
次に、メモ帳ホルダ（１３７）は、使用者が電話通話中又は業務遂行中に容易にメモ帳を利用できるようにするためのものにして、メモ帳を前記メモ帳ホルダ（１３７）に具備することにより使用者の業務効率を高めることができる。
【００２３】
以下では、前記のような構成を有する本発明に伴うマイクイヤフォンの設置方法及び利用方法に対して説明する。
まず、本発明に伴うマイクイヤフォンを設置する方法を説明すれば下記の通りである。
つまり、局線連結方法として、局線連結用ケーブルのモジュラープラグをマウスパッド連結装置（１００）の電話線連結部（１１２）の電話線連結端子（モジュラージャック）（１３２）に挿入し、４端子プラグを局線連結用コンセントに挿入する。次に、マウスパッド連結装置（１００）の第１連結端子（１３５）とメインマウスパッド（２００）の第２インターフェース（２０１）に含まれた第２連結端子にＰＡＤ連結ジャックプラグを挿入することにより、メインマウスパッド（２００）とマウスパッド連結装置（１００）を連結する。
【００２４】
前記のようにメインマウスパッド（２００）、マウスパッド連結装置（１００）及び電話線端子を接続した後、マイクイヤフォンをマイクイヤフォン連結端子（１３６）に挿入する。さらに、コンピュータ（ＰＣ）背面部分のサウンドカードスピーカと、マイクジャックにＰＣ連結用ケーブルを挿入し、前記ケーブルの他の一側のプラグをマウスパッド連結装置（１００）のサウンド出力連結端子（１３１）に挿入する。
前記のような設置作業を遂行した後、本発明に伴うマウスパッドフォンを利用して電話を使用する方法は次の通りである。
【００２５】
まず、前記マウスパッドフォンを利用して電話をかける方法を説明すれば下記の通りである。
つまり、マイクイヤフォンをマイクイヤフォン連結端子（１３６）に連結し、耳に差し込んだ後、ＨＯＯＫボタン（１３４）を押す。この時、緑色ランプ（通話中ランプ）（１３３′）に緑色ランプが点灯され“ツー”と言う発信音を発する。使用者は数字ボタン（２６１）を次々と押して通話をするようになる。この時、通話が終わればＨＯＯＫボタン（１３４）を押して通話を終了する。
次に、前記マウスパッドフォンを利用して電話を受ける方法を説明すれば下記の通りである。
つまり、ベルが鳴ればイヤフォンマイクを耳に差し込み、ＨＯＯＫボタン（１３４）を押して電話通話をし、通話が終わればＨＯＯＫボタン（１３４）を押して通話を終了する。
【００２６】
一方、前記のような通話状態でない通話待機状態では、イヤフォンがサウンド出力連結端子（１３１）を通じて、コンピュータのサウンドカード及びマイクと連結されている状態であるため、コンピュータから伝送される音楽を聴取することができ、既存のインターネットフォンを使用する方法でインターネットフォンの機能を利用することもできる。
この際、コンピュータばかりでなくその他の音響装置（ＭＰ３，ラジオ、オーディオ、ビデオ等）等を前記サウンド出力連結端子（１３１）に連結してマウスパッドを利用した作業中にも多様な音楽を聴取することができる。
以上の本発明は上述した実施例等によって限定されず、当業者等により多様な変形及び変更をもたらすことができ、これは添付した請求項において定義される本発明の趣旨と範囲に含まれる。
【００２７】
【発明の効果】
前記のような本発明は、現代人の作業環境に欠かせないコンピュータの利用に必要なマウスパッドに電話機能を装着することにより、マウスの基本的な利用の他にもコンピュータとマウスを利用した業務中に容易に電話通話ができるようにすると言う優れた効果がある。
さらに、使用者等が業務を遂行するにおいて、コンピュータ及びその他の必要な装置等の他に別途の電話機を具備しないようにすることにより、使用者等の作業環境をより効率的に利用できるようにすると言う優れた効果がある。
さらに、本発明はメインマウスパッドとマウスパッドの連結装置を分離して、マウスパッドの連結装置の場合には作業の妨げにならない位置に別途に固定できるようにすることにより、使用者が作業を遂行するにおいて不都合がないようにできると言う優れた効果がある。つまり、前記マウスパッドの連結装置には各種の連結端子を通じて多数の連結線等が連結されていることから、このような連結線等は使用者が業務を遂行するにおいて、不都合をもたらすことも有り得るので、このような連結線等が連結されたマウスパッドの連結装置を他の位置に固定して置くことにより、作業環境を改善することができる。
【００２８】
さらに、本発明はマウスパッド本来の機能及び電話通話機能の他にもコンピュータと連結して各種の音楽及びインターネットフォンの利用が可能な優れた効果がある。
この時、コンピュータばかりでなくその他の各種の音響装置に連結して音楽を聴取することもできる。
さらに、本発明はボリューム調節機能があって、受話音量の調節が自在なことからイヤフォン使用に伴う使用者等の聴力損傷を最小化できると言う優れた効果がある。
さらに、本発明はミニ電話機に比べてボタンが大きいことから使用が容易であるばかりでなく、一般電話機が提供する各種の機能等を全て収容できると言う効果がある。
【図面の簡単な説明】
【図１】本発明に伴うマウスパッドフォンの一実施例の内部構成図である。
【図２】本発明に伴うマウスパッドフォンの一実施例の外部構成図である。
【図３】（ａ）及び（ｂ）は本発明に伴うマウスパッドフォンのメインマウスパッドの一実施例の外部構成図である。
【図４】本発明に伴うマウスパッドフォンのマウスパッドの連結装置の一実施例の外部構成図である。
【符号の説明】
１００    マウスパッド連結装置
１１１    サウンド出力連結部
１１２    電話線連結部
１１３    着信又は通話中表示部
１１４    スイッチング部
１１５    第一インターフェース
１１６    マイクイヤフォン連結部
１３１    サウンド出力連結端子
１３２    電話線連結端子
１３３    赤色ランプ
１３３′  緑色ランプ
１３４    ＨＯＯＫボタン
１３５    第１連結端子
１３６    マイクイヤフォン
１３７    メモ帳用ホルダ
２００    メインマウスパッド
２０１    第二インターフェース
２０２    制御部
２０３    ホールディング部
２０４    リコール部
２０５    フラッシュ部
２０６    停止部
２０７    リダイヤル部
２０８    ボリューム調節部
２０９    貯蔵電話番号管理部
２１０    電話番号貯蔵部
２１１    電話番号入力部
２１２    貯蔵部
２５３    ＨＯＬＤボタン
２５４    ＲＥＣＡＬＬボタン
２５５    ＦＬＡＳＨボタン
２５６    ＰＡＵＳＥボタン
２５７    ＲＥＤＩＡＬボタン
２５８    ボリューム調節部
２５９    貯蔵電話番号管理ボタン
２６０    電話番号貯蔵ボタン
２６１    電話番号入力ボタン
２７１    ＰＶＣシルク材質上板
２７２    電話ボタン用第１タッチ回路板
２７３    電話ボタン用回路板
２７４    電話ボタン用第２タッチ回路板
２７５    電話ボタン用回路板保護パッド
２７６    ＰＶＣシルク印刷紙下板
３００    メインマウスパッド
【図１】
2004201270.tif 000003
【図２】
2004201270.tif 000004
【図３】
2004201270.tif 000005
【図４】
2004201270.tif 000006